(57)【要約】【課題】  駐車場を利用する際に、車に同乗する人数に応じてサービスを厚くすることにより、有限な駐車場のスペースを有効に活用してできるだけ多くの客を集客し、地域や町の活性化を行うと共に、合わせて車による環境への影響をできるだけ少なくできるように工夫した駐車場管理システムを提供する。【解決手段】  駐車場管理システムを構成する入庫管理機１０に、入庫する車両に搭乗している搭乗者数を入力でき、この搭乗者数を駐車券に記録して発行することができる搭乗者数入力・記録手段を設ける。【選択図】        図１
2006053596.tif 000002
【特許請求の範囲】
【請求項１】
駐車場への車両の入庫時に、入庫口に設けた入庫管理機が入庫時刻を記録した駐車券を発行し、出庫時には、出庫口に設けた出庫管理機が上記駐車券に記録された入庫時刻に基づいて駐車料金を算出し、この駐車料金の精算を済ませると車両の出庫を許可するように構成した駐車場管理システムであって、
上記の入庫管理機に、入庫する車両に搭乗している搭乗人数を入力することができ、且つ、発行する駐車券に対してその搭乗人数を直接的又は間接的な表現をもって、目視可能或いは機械読み取り可能な状態に書き込んで発行することができる搭乗人数入力・記録手段を具備せしめたことを特徴とする駐車場管理システム。
【請求項２】
出庫口に設けた出庫管理機に、前記駐車券から読み取った搭乗人数に応じて、駐車料金の割引きを行う駐車料金割引手段を具備せしめたことを特徴とする請求項１に記載の駐車場管理システム。
【請求項３】
駐車場を利用することによって受けられる各種のサービスを、駐車した車両の搭乗人数と駐車時間との積値に応じて行うように構成したことを特徴とする請求項１又は２に記載の駐車場管理システム。
【請求項４】
子供の日、敬老の日と言った特別日を予め定めておいて、駐車場を利用した日が当該特別日である場合に、前記出庫管理機に設けたサービス券発行手段が駐車場利用客に対してサービスが割り増しされた各種の割り増しサービス券を発行するように構成したことを特徴とする請求項１、２又は３に記載の駐車場管理システム。
【請求項５】
前記入庫管理機及び出庫管理機に、収集した入庫及び出庫の各データと搭乗人数データとを管理サーバに送る出力部を設けたことを特徴とする請求項１、２、３又は４に記載の駐車場管理システム。
【請求項６】
前記入庫管理機における搭乗人数の入力手段が、目視確認に基づく係員によるキーボード入力手段、車両内の撮影と画像解析に基づく画像データ入力手段、係員から受け取った搭乗人数が書き込まれている各種情報媒体を使用する媒体入力手段、或いは、携帯電話機等のモバイル機器を介して入力するモバイル入力手段のいずれかであることを特徴とする請求項１、２、３、４又は５に記載の駐車場管理システム。
【発明の詳細な説明】
【技術分野】
【０００１】
本発明は、例えば商店街の駐車場や、遊園地等の各種行楽地の駐車場、或いは、一般の駐車場等に利用して好適な駐車場管理システムに関するものである。
【背景技術】
【０００２】
例えば、特許文献１に記載の「サービス管理方法とその装置」には、店舗側にＰＯＳ端末装置を設置し、駐車場には駐車料金精算機を設置して、買物金額を精算する時にＰＯＳ端末装置にサービスカードを挿入すると、買物金額に応じてサービスポイントを書き込みされて、駐車料金サービス、又は、買物金額サービスの何れかが受けられるような、サービスカードを使用したサービス管理方法とそのその装置に関する記載が認められる。
【特許文献１】特開平８−１６６６８号公報
【発明の開示】
【発明が解決しようとする課題】
【０００３】
上記の特許文献１に記載のサービスによれば、買物金額が多ければ多いほど、駐車料金や買物金額のサービスを多く受けることができるものであるから、デパートやスーパーマーケットにおいて買物客を多く集めることができ、売り上げをあげるには効果的な方式である。
【０００４】
一方、昨今の車社会における車の増大は、道路の渋滞や混雑を招いて、駐車場にあっては駐車スペースの不足を招き、どこもここも車が溢れていて車から排出される排気ガスで空気が汚染され、人が安心して生活できる環境が犯される状況に成りつつある。また、地球規模的にも地球の温暖化が進行し、その対策からＣＯ２の排出が制限され、これまた世界的な命題に成っている。
【０００５】
また、いわゆるスーパーマーケットやデパート等の大型店には、客が集中するが、個人商店が並ぶ町の商店街では、客足が途絶えて人が集まらない傾向になっており、その格差は年々大きくなっている。地域の活性化、商店街の活性化を図る為にも、一人でも多くの客を地域内に戻す必要がある。
【０００６】
そこで、駐車場のサービスに関して、上記の特許文献１に記載された従来型の方式であるところの、「購入金額に応じてサービスを提供する」と言った考え方を廃し、先ずは、人が多く来てくれることが先で、それにより商店街における活性化が取り戻され、活性化がなされることにより、いずれ地域内の売り上げ高の増大も可能となる。との考え方を主旨とする駐車場システムを構築することが考えられた。
【０００７】
従って本発明の技術的課題は、駐車場を利用する際に、車に同乗する人数に応じてサービスを厚くすることにより、有限な駐車場のスペースを有効に活用してできるだけ多くの客を集客し、地域や町の活性化を行うと共に、合わせて車による環境への影響をできるだけ少なくできるように工夫した駐車場管理システムを提供することである。
【課題を解決するための手段】
【０００８】
（１）  上述した技術的課題を解決するために、本発明の請求項１に係る駐車場管理システムは、駐車場への車両の入庫時に、入庫口に設けた入庫管理機が入庫時刻を記録した駐車券を発行し、出庫時には、出庫口に設けた出庫管理機が上記駐車券に記録された入庫時刻に基づいて駐車料金を算出し、この駐車料金の精算を済ませると車両の出庫を許可するように構成した駐車場管理システムであって、上記の入庫管理機に、入庫する車両に搭乗している搭乗人数を入力することができ、且つ、発行する駐車券に対してその搭乗人数を直接的又は間接的な表現をもって、目視可能或いは機械読み取り可能な状態に書き込んで発行することができる搭乗人数入力・記録手段を具備せしめたことを特徴としている。
【０００９】
（２）  また、本発明の請求項２に係る駐車場管理システムは、出庫口に設けた出庫管理機に、前記駐車券から読み取った搭乗人数に応じて、駐車料金の割引きを行う駐車料金割引手段を具備せしめたことを特徴としている。
【００１０】
（３）  また、本発明の請求項３に係る駐車場管理システムは、駐車場を利用することによって受けられる各種のサービスを、駐車した車両の搭乗人数と駐車時間との積値に応じて行うように構成したことを特徴としている。
【００１１】
（４）  また、本発明の請求項４に係る駐車場管理システムは、子供の日、敬老の日と言った特別日を予め定めておいて、駐車場を利用した日が当該特別日である場合に、前記出庫管理機に設けたサービス券発行手段が駐車場利用客に対してサービスが割り増しされた各種の割り増しサービス券を発行するように構成したことを特徴としている。
【００１２】
（５）  また、本発明の請求項５に係る駐車場管理システムは、前記入庫管理機及び出庫管理機に、収集した入庫及び出庫の各データと搭乗人数データとを管理サーバに送る出力部を設けたことを特徴としている。
【００１３】
（６）  更に本発明の請求項６に係る駐車場管理システムは、前記入庫管理機における搭乗人数の入力手段が、目視確認に基づく係員によるキーボード入力手段、車両内の撮影と画像解析に基づく画像データ入力手段、係員から受け取った搭乗人数が書き込まれている各種情報媒体を使用する媒体入力手段、或いは、携帯電話機等のモバイル機器を介して入力するモバイル入力手段のいずれかであることを特徴としている。
【００１４】
上記（１）で述べた請求項１に係る手段によれば、駐車場における利用を、「搭乗人数」をもってサービスを与えるものであるから、町おこしを行う地域や、商店街の活性化を図る場合、或いは、イベントを主催する場合に、多くの人を繰り出す効果があり、その結果、活性化や興業収入及び売上収入を伸ばすことができ、その目的を達成することが可能になる。
【００１５】
また、上記（１）で述べた請求項１に係る手段によれば、駐車券に目視可能、又は、機械読み取り可能な状態で、搭乗人数を直接的に又は間接的表現で書き込んだから、この駐車券を地域内において示すだけでも各種サービスを受けることが可能となる。更に、機械読み取り可能であるから、各種サービスに関連した機器の読み取り手段で読み取ることができ、各種サービスを容易に受けることも可能となる。
【００１６】
更に上記（１）で述べた請求項１に係る手段によれば、いわゆるＰＯＳシステムで買い物金額を全てオンラインで集計して、その結果によりサービスを実施するといった大げさなシステムを構築しなくても、サービスを手軽に且つ簡単に実施することを可能にする。
【００１７】
上記（２）で述べた請求項２に係る手段によれば、駐車場の利用サービスを受ける場合は、駐車券を出庫管理機に示すことにより、所定の割引を受けることができる。また、駐車場管理者や地域の商店街の経営者等に対しては、集客力の検証評価情報として、このサービス情報を提供することができる。即ち、搭乗人数の累計情報から、駐車場の利用状況に応じてどのくらいの人数が集客されたのかに付いて、情報提供することが可能になる。
【００１８】
上記（３）で述べた請求項３に係る手段によれば、サービスを搭乗人数と
滞在時間の積としたから、一時的な人寄せでなく、長い時間帯に渡って、大勢の人を落ち着いた時間感覚の中で滞在させることができるものであって、より地域に対する、また、イベントに対する好感を持って貰うことができる。更に、駐車場管理者や地域の商店街の経営者等に対しては、これ等の情報を集客力の検証評価情報として提供することができる。即ち、「搭乗人数×駐車時間」の累計情報に基づいて、商店街等に対する客の居心地状態、要するに、客を商店街等にどのくらいの時間滞在させることができたのか等の、検証・評価情報を提供することを可能にする。
【００１９】
上記（４）で述べた請求項４に係る手段によれば、子供の日や敬老の日、或いは、各種の特別日を付加して設けることにより、あらゆる年齢層や立場の人に、地域や商店街等への親近感を抱いて貰うことが可能になる。また、駐車場の管理者や地域の商店街の経営者等に対しては、客の年代別情報や家族構成情報といった情報を提供することが可能になる。
【００２０】
上記（５）で述べた請求項５に係る手段によれば、駐車場における入出庫時刻と、搭乗人数、その滞在時間帯に関する詳細なデータが収集できるから、このデータを各種の催しとか、セールと言ったイベントの開催に役立たせることを可能にする。
【００２１】
上記（６）で述べた請求項６に係る手段によれば、入庫管理機に対する搭乗人数の入力を各種の入力手段からシステムの大きさや係員の人数、或いは、駐車場の設置状況といった諸条件に合わせて選んで利用することを可能にするものである。
【発明の効果】
【００２２】
以上述べた次第で、本発明に係る駐車場管理システムによれば、駐車場に入庫する車両に搭乗している「搭乗人数」が多くなるに従ってサービスを厚くする方策が講じられているため、各種の催しやイベント等に対する人寄せ効果を発揮することができ、且つ、駐車場の管理者や地域の商店街の経営者等に対しては、経営に有意義な各種情報を提供することができると共に、車に対する搭乗率をあげて、町中を走る車の数量を減らすことにより、エネルギーの消費を減らして排気ガスの量を減らすことになるため、地球環境の改善と言った世界的な命題に対して、その効果を発揮することができる。
【発明を実施するための最良の形態】
【００２３】
以下に、上述した本発明に係る駐車場管理システムの好適な実施の形態を、貼付した図面を参照しながら説明する。
【００２４】
図１は、同システム全体の機器構成図であって、図中、２０は管理サーバが有する管理コンピュータ、１０は駐車場（図示省略）の入庫口に設置した入庫管理機、４０は駐車場の出庫口に設置した出庫管理機、３０は入庫車両のドライバー又は同乗者、又は、入庫口の係員が所持する携帯電話機などのモバイル機器で、管理サーバの管理コンピュータ２０と入庫管理機１０、出庫管理機４０、モバイル機器３０は、通信回線を介して相互に通信可能に構成されている。
【００２５】
管理サーバの管理コンピュータ２０は、入力装置２１、演算処理部であるＣＰＵ２２、メモリ２３、外部記憶装置２４、通信インターフェース２５、表示装置２６を有する。
【００２６】
入庫管理機１０は、入庫車両を検知する車両検知装置１１と、入庫車両に乗車している搭乗人数が書き込まれている例えばメタル、ＩＣタグ、バーコード式又は磁気式切符、情報カード等から成る情報媒体（以下単に情報媒体と言う）を読み取って、搭乗人数を認識することができる情報媒体読取装置１２と、読み取った搭乗人数と入庫時刻を、直接的又は間接的な表現をもって目視確認可能、或いは、機械読み取り可能な状態に書き込んだ駐車券（図示省略）を発券する情報書き込み、印刷発券措置１３、及び、情報媒体通信インターフェース１４、ＣＰＵ１５、メモリ１６、外部記憶装置１６Ａ、入力装置１７、表示装置１８、通信インターフェース１９を有する。
【００２７】
出庫管理機４０は、出庫車両を検知する車両検知装置４１と、前記入庫時刻と搭乗人数を記録した駐車券を読み取る駐車券読取装置４２と、この読取装置４２が読み取った読み取り情報から搭乗人数に見合った駐車料金を算出し、且つ、算出した駐車料金の精算を受けると、車両の出庫を可能にする料金精算装置４３と、及び、情報媒体通信インターフェース４４、ＣＰＵ４５、メモリ４６、外部記憶装置４６Ａ、入力装置４７、表示装置４８、通信インターフェース４９を有する。
【００２８】
モバイル機器３０は、入力装置３１、ＣＰＵ３２、メモリ３３、通信インターフェース３４、表示装置３５、情報媒体通信インターフェース３６を有する。
【００２９】
モバイル機器３０において、入力装置３１は、各ドライバーまたは入庫口に配置された係員によって、必要な情報、即ち、入庫車両搭乗している搭乗人数を、ＣＰＵ３２とメモリ３３に入力するものである。ＣＰＵ３２は、入力装置３１の入力情報と、情報媒体通信インターフェース３６からの情報、管理コンピュータ２０からの情報を基に演算処理する。メモリ３３はＣＰＵ３２の演算情報を記憶する。表示装置３５は、ＣＰＵ３２の指令に基づいて必要とする演算情報、即ち、搭乗人数等を表示する。通信インターフェース３４は、モバイル機器３０と管理サーバの管理コンピュータ２０の通信を司る。情報媒体通信インターフェース３６は、バーコード、磁気式、ＩＣタグなどの情報媒体から搭乗人数を読み取ることができる。
【００３０】
上記の管理コンピュータ２０において、入力装置２１は、管理者によって必要とする情報を入力するものである。ＣＰＵ２２は、モバイル機器３０と入庫管理機１０及び出庫管理機４０の各ＣＰＵ３２、１５、４５による演算処理情報と、外部記憶装置２４の記憶データを基に所要の演算処理を実現し、その演算処理データをメモリ２３に格納する。表示装置２６は、ＣＰＵ２２の指令に従って必要とする情報を表示する。通信インターフェース２５は、モバイル機器３０と入庫管理機１０及び出庫管理機４０の各通信インターフェース３４、１９、４９と相俟って、当該モバイル機器３０と入庫管理機１０と出庫管理機４０と管理コンピュータ２０との通信を司る。外部記憶装置２４は必要とする情報をテーブル化して格納するものであって、該外部記憶装置２４には、例えば、図２に示すようにポイント発行履歴テーブル、調査テーブル、入出庫履歴テーブルが格納される。
【００３１】
上述した各テーブルのうち、ポイント発行履歴テーブルとは、入庫車両に搭乗していた人数をポイントとして計数して、その発行履歴を記憶するものであって、図２に示すように「ポイント発行履歴テーブル」は、発行レコードＮｏ．、ポイント累計、年月日、ポイント消費数、転記先レコードＮｏ．年月日から成る。また、「調査テーブル」は、情報媒体ＩＤ、年月日、搭乗者数、調査項目１（グループ）、調査項目２（家族）、調査項目３（３世代家族）から成る。「入出庫履歴テープ」は、情報媒体ＩＤ、入庫年月日時分、出庫年月日時分から成り、情報ＩＤをキーに時間帯別の「集客数」、「（集客数×滞在時間）」などを算出可能にする。
【００３２】
以上の如く構成した本発明の実施に当たって、駐車券の発行システムには無人式と有人式が存在し、無人式駐車券発行システムには、目視確認・情報媒体方式と、目視確認・モバイル機器・情報媒体方式が存在し、有人式駐車券発行システムには、目視確認・情報媒体方式が存在する。
【００３３】
上記無人式駐車券発行システムの目視確認・情報媒体方式は、駐車場への待ち行列時にも対応するため、交通整理員（係員）が車両の搭乗者数を目視によって測定し、人数分のメタルや、人数分或いは人数を書き込んだＩＣタグ、或いは、バーコード式又は磁気式切符を搭乗者に手渡す。搭乗者は、入庫管理機１０でこの情報媒体を読み取らせる。搭乗者数がポイントとしてポイント数とその発行をトレースする場合には、その発行レコードＮｏ．を通常の入庫時刻情報などと共に書き込まれ、搭乗者数（ポイント）が印刷された駐車券が発行される。また、車両を出庫させる駐車料金精算時には、当該情報媒体を読み取らせて、料金の割引やポイント加算処理を行う。  
なお、本システムでは、情報媒体を読み込むと同時に、発行したポイント、年月日時刻等を図２に示したテーブルに発行履歴として記録する。
【００３４】
上記無人式駐車券発行システムの目視確認・モバイル機器・情報媒体方式では、レコードＮｏ．や情報媒体ＩＤなどを書き込んだ情報媒体（ＩＣタグ、バーコード式や磁気式切符・カードなど）を使用し、交通整理員が車両の搭乗者数を測定し、または調査（アンケートなど）情報と、その情報を携帯電話などのモバイル機器３０に入力し、更に情報媒体のＩＤを読み取り、又は、入力して送信する。一方、交通整理員は当該情報媒体を搭乗者に渡す。
搭乗者は、入庫管理機１０でこの情報媒体のＩＤを読み取らせる。モバイル端末から送信された当該情報から搭乗者数がポイントとしてポイント数とその発行をトレースする場合には、その発行レコードＮｏ．を通常の入庫時刻情報などと共に書き込まれ、また搭乗者数（ポイント）が印刷された駐車券が発行される。
あるいは、車両を出庫させる駐車料金精算時に情報媒体を読み取らせ、料金の割引やポイント加算処理を行う。
なお、本システムでは、情報媒体を読み込むと同時に、発行したポイント、年月日時刻等を図２に示したテーブルに発行履歴として記録する。
【００３５】
次に、上述した有人式駐車券発行システムの目視確認・情報媒体方式では、満車時以外の通常の入庫の場合は、入庫係員の目視による車両の搭乗者数の測定で、搭乗者数をキー操作により入力し、駐車券を発行する。
満車時における入庫待ちが生じたときには、交通整理員の目視による車両の搭乗者数の測定で、情報媒体としてメタル、ＩＣタグ、バーコードや磁気式切符やＩＣ・カード、手書きメモなどを利用する。手書きメモの場合は、搭乗者数をキー操作による入力となるが、他の情報媒体の場合は、上述した無人式駐車券発行と同じである。
【００３６】
図３は、上述した「無人式駐車券発行システムの目視確認・モバイル機器・情報媒体方式」の処理手順を説明したフローチャートであって、ステップＳ１で車両検知装置１１が入庫車両を検知すると、ステップＳ２で進んで情報媒体読取装置１２が情報媒体ＩＤを読み取って、次のステップＳ３に進む。ステップＳ３では、読み取ったＩＤと、図２に示した管理サーバ２０の調査テーブルに記録されているＩＤとの照合を行って、一致するＩＤが存在する場合は、次のステップＳ４に進んで、調査テーブルから該当ＩＤの情報を取得した後、ステップＳ５に進んで搭乗者数からポイントの算出を行うが、上記のステップＳ３で一致するＩＤが存在しない場合は、ステップＳ４を経ずに直接ステップＳ５に進む。
【００３７】
次のステップＳ６では、ポイント発行年月日時分を図２に示したポイント発行履歴テーブルに書き込み、次いで、ステップＳ７に進んで駐車券に情報書き込み・印刷発行装置１３が管理情報の書き込みと印刷を行って発券することによって、発券処理が終了し、ドライバー等がこの発券された駐車券を引き取ると、ゲートが開いて車両の入庫が可能となる。
【００３８】
なお、上記情報媒体の不正使用は、日付や時間等によりメタルの種類を替えたり、データの書き込みができる媒体では、日付や時刻などを書き込み、有効期限を定めることで不正使用を防止することができた。また、入庫前に情報媒体を渡してから、入庫時にそれを読み取って回収するため、情報媒体の回転率が高く、また容易に再利用できるため、情報媒体の数が少なくても運用することができる。
【００３９】
実際の運用に当たっては、搭乗者に渡す情報媒体の種類、または書き込み情報を変えることによって、様々な優遇割引やポイントを定めることができる。また、エコーカー割引では、車種や☆の数によって、定めた情報媒体を搭乗者に渡すことにより、優遇することができる。
【００４０】
その他、例えば、子供の日には搭乗者に子供がいれば、割引情報媒体を搭乗者に渡すことにより優遇でき、更に、敬老の日や、くじ引き（当たりくじ用情報媒体）など、また、商店街やテーマパークで企画されるイベントに合わせてサービスを設定することにより、タイムリーなサービスを提供することもできる。
【００４１】
また、本発明によれば、駐車料金の精算時に、駐車券に書き込まれた搭乗者数（ポイント）により割引精算を行うことができるが、ポイントとして使う場合で、駐車料金の精算後にポイント数とその発行をトレースする場合には、その発行レコードＮｏ．が図２に示したテーブルに書き込まれ、搭乗者（ポイント）が印刷された駐車券を返却される。
【００４２】
更に、金融カードや、それを内蔵した携帯電話、或いは、商店街などで発行する磁気式やＩＣカードなどの地域カード、それを内蔵した携帯電話にポイントとして加算ポイント数とその発行レコードＮｏ．とを書き込み、累計でポイントによりサービスが受けられるようにシステム構成することも可能である。
【００４３】
なお、駐車料金の精算後にポイントが書き込まれた駐車券を返却するシステムの場合は、新たに入庫するときにポイントが書き込まれた駐車券を駐車券発行機に読み込ませ、新規発行駐車券に転記または、情報媒体のポイントに加算したポイントを書き込み、累計されたポイントが印刷された新規駐車券を発行するようにすればよい。
【００４４】
以上のようにして発行された駐車券に記録されているポイントの年月日時刻の記録情報から、時間、日、週、月間など「お客（人数×滞在時間）」といった集客情報を算出することができるが、ポイントの累計によって、優待サービスを提供する際に、持ち込まれたデータの信憑性の確認のため、ポイントの発行レコードＮｏ．を照合することで、信憑性の確認が可能になる。
【図面の簡単な説明】
【００４５】
【図１】本発明に係る駐車場管理システムの概略構成図。
【図２】本発明における各テーブルの構成図。
【図３】本発明による入庫処理の動作を説明したフローチャート。
【符号の説明】
【００４６】
１０            入庫管理機
２０            管理サーバの管理コンピュータ
３０            モバイル機器
４０            出庫管理機          
【図１】
2006053596.tif 000003
【図２】
2006053596.tif 000004
【図３】
2006053596.tif 000005